(57)【特許請求の範囲】
【請求項１】
外形が略四角柱状の２つのブロックを互いの一面側を対向させて間隔をあけて配設し、該ブロックを一対のフランジで挟持すると共に、前記ブロックにコイルが巻回されるボビンを保持させてなるコイル巻線用治具であって、前記２つのブロックのそれぞれの他面側の略中央部に、前記フランジに垂直方向に伸び、コイルが巻かれるボビンが分割されてなる略コ字状の形状を有する分割ボビンを保持する凹部を設け、該凹部の両側であって前記２つのブロックの角部に巻線をしようとする銅線の径と略同ピッチで複数の案内溝を形成すると共に、前記２つのブロックを、互いに近接自在とするスライド手段を設け、前記両フランジのブロックの凹部に当接する部分には凹部に連通する窪みを形成し、略コ字状の一対の分割ボビンをブロックの凹部とそれに連通するフランジの窪みとに合わせて挿入保持させた状態でコイルが巻回されるようになすと共に、一対のブロックを近接する側にスライドさせて一対の分割ボビンに巻回された同コイルが取り出されるようになしたことを特徴とするコイル巻線用治具。
【請求項２】
前記案内溝を、断面が半円状の溝としたことを特徴とする請求項１記載のコイル巻線用治具。
【発明の詳細な説明】
【０００１】
【産業上の利用分野】
本発明は、コイル巻線用治具に関するものである。
【０００２】
【従来の技術】
電磁装置に使用されるコイルは、両端に鍔部を備えた角筒状部を有する樹脂製のボビンに巻線がされたものが一般的であり、このため、そのコイル巻線用治具も、角筒状部を、その内側から支えて、鍔部の一端側から巻線していくのが一般的である。
【０００３】
図８及び図９は、このような従来のコイル巻線用治具で巻かれたボビンを有するコイルを示すものであり、このコイルは、断面が略角筒状の巻き胴１とその両端に設けられた鍔部２を備えたボビン３に、銅線４が巻線されて形成されたもので、ボビン３の巻き胴１には、その銅線４を整列巻きするために、その表面に、巻線される銅線４の径に応じて、その銅線４の径Ｄと同ピッチで溝１ａが設けられており、その溝１ａに一方の鍔部２側から１層目の巻線が整列巻線され、その上から順次俵積み状にずらされて整列に巻線がされてコイルが形成されている。なお、銅線４の端部は、ボビン３に設けられた端子（図示せず）にからげられて電気的接続がとられている。
【０００４】
また、図示はしないが、巻線時にはボビンを使用せず、自己融着線等の特殊銅線を使用すると共に、その銅線を整列巻きするために、コイル巻線用治具に巻線される銅線の径に応じて、その銅線の径と同ピッチの溝を設けて多層に整列巻線し、その後にその巻線した銅線をコイル巻線用治具から取り外してボビンを装着し、銅線の端末をボビンに設けた端子にからげるようにして形成したコイルも知られている。
【０００５】
【発明が解決しようとする課題】
しかしながら、上述のように構成されたボビンを用いた従来のコイル巻線用治具によるコイルの形成方法においては、巻線を整列巻きするためには、巻線される銅線４の径が異なる毎に、その径にあった専用の溝１ａを設けたボビン３を設ける必要があり、ボビン３の共用化が図れず、特に多品種少量のコイルの形成には不適当であるという問題点があった。
【０００６】
また、巻線時にボビンを用いない従来のコイルの形成方法においては、巻線した銅線をコイル巻線用治具から外した状態で、その整列巻線状態を保つために、巻線される銅線に特殊銅線を用いる必要があるばかりか、巻線後にボビンを装着した後に、銅線の端末を端子にからげる必要もあり、その際に、コイルの銅線にきずやばらけが生じ易く、また、巻線時に銅線の端末を仮からげしておく必要から、作業ロスが生ずるという問題点があった。
【０００７】
本発明は、上記問題点を改善するためになされたもので、その目的とするところは、銅線の径が異なる場合にも共通のボビンを使用した整列巻線が容易にできるコイル巻線用治具を提供することにある。
【０００８】
【課題を解決するための手段】
本発明は上記の問題点を解決するため、請求項１記載の発明にあっては、外形が略四角柱状の２つのブロック５を、互いの一面側５ａを対向させて間隔をあけて配設し、該ブロック５を一対のフランジ６で挟持すると共に、前記ブロック５にコイルが巻回されるボビン３を保持させてなるコイル巻線用治具であって、前記２つのブロック５のそれぞれの他面側５ｂの略中央部に、前記フランジ６に垂直方向に伸び、コイルが巻かれるボビン３が分割されてなる略コ字状の形状を有する分割ボビン７を保持する凹部５ｃを設け、該凹部５ｃの両側であって前記２つのブロック５の角部に巻線をしようとする銅線４の径と略同ピッチで複数の案内溝５ｄを形成すると共に、前記２つのブロック５を、互いに近接自在とするスライド手段８を設け、前記両フランジ６のブロック５の凹部５ｃに当接する部分には凹部５ｃに連通する窪み６ｄを形成し、略コ字状の一対の分割ボビン７をブロック５の凹部５ｃとそれに連通するフランジ６の窪み６ｄとに合わせて挿入保持させた状態でコイルが巻回されるようになすと共に、一対のブロック５を近接する側にスライドさせて一対の分割ボビン７に巻回された同コイルが取り出されるようになしたことを特徴とするものである。
【０００９】
また、請求項２記載の発明にあっては、請求項１記載のコイル巻線用治具において、前記案内溝５ｄを、断面が半円状の溝としたことを特徴とするものである。
【００１０】
【作用】
以上のように本発明は、請求項１記載の発明にあっては、外形が略四角柱状の２つのブロック５を互いの一面側５ａを対向させて間隔をあけて配設し、該ブロック５を一対のフランジ６で挟持すると共に、前記ブロック５にコイルが巻回されるボビン３を保持させてなるコイル巻線用治具であって、前記２つのブロック５のそれぞれの他面側５ｂの略中央部に、前記フランジ６に垂直方向に伸び、コイルが巻かれるボビン３が分割されてなる略コ字状の形状を有する分割ボビン７を保持する凹部５ｃを設け、該凹部５ｃの両側であって前記２つのブロック５の角部に巻線をしようとする銅線４の径と略同ピッチで複数の案内溝５ｄを形成すると共に、前記２つのブロック５を、互いに近接自在とするスライド手段８を設け、前記両フランジ６のブロック５の凹部５ｃに当接する部分には凹部５ｃに連通する窪み６ｄを形成し、略コ字状の一対の分割ボビン７をブロック５の凹部５ｃとそれに連通するフランジ６の窪み６ｄとに合わせて挿入保持させた状態でコイルが巻回されるようになすと共に、一対のブロック５を近接する側にスライドさせて一対の分割ボビン７に巻回された同コイルが取り出されるようになしたため、ブロック５に設けた案内溝５ｄにより１層目の銅線４の整列巻きができ、したがって、その上に順次俵積み状に巻線される上側の層の巻線も整列巻きができ、ボビン３である分割ボビン７には銅線４の案内溝を設ける必要はなく、銅線４の線径が異なってもコイル巻線用治具を変更するだけで、分割ボビン７を共通に使用した整列巻線ができると共に、巻線時に分割ボビン７を利用して銅線４の端末のからげもできる。
【００１１】
また、請求項２記載の発明にあっては、請求項１記載のコイル巻線用治具において、前記案内溝５ｄを、断面が半円状の溝としたため、コイルの１層目の銅線４の略半分が案内溝５ｄに収納されてきれいに整列巻線がされる。
【００１２】
【実施例】
図１乃至図７は、本発明のコイル巻線用治具及び、それにより巻線されたコイルの一実施例を示すものであり、このコイル巻線用治具は、一対のブロック５と、そのブロック５を挟持する一対のフランジ６、スライド手段８、及びシャフト９とを有して構成されている。
【００１３】
一対のブロック５は、略四角柱状の外形を有し、互いの一面側５ａを対向させて棒状のシャフト９の両側に間隔をあけて配設されてなるもので、その他面側５ｂの略中央部には、フランジ６と垂直方向に伸び、コイルが巻かれるボビン３が分割されてなる分割ボビン７を保持する凹部５ｃが設けられ、その凹部５ｃの両側であってブロック５の角部には、巻線をしようとする銅線４の径と略同ピッチで、銅線４の略同径とされた半円状の複数の案内溝５ｄが形成されると共に、一方のフランジ６ａに当接する側の面にはガイドピン５ｅが設けられて構成されている。
【００１４】
一対のフランジ６は、略平板状であって、一対のブロック５を挟持するように配設され、一方のフランジ６ａには、ガイドピン５ｅが挿入される長孔６ｂが設けられ、また、一方のフランジ６ａと他方のフランジ６ｃのブロック５の凹部５ｃに当接する部分には、凹部５ｃに連通する窪み６ｄが形成されている。さらには、一方のフランジ６ａの略中央部には、シャフト９を挿通させるシャフト孔６ｅが設けられている。
【００１５】
スライド手段８は、一方のフランジ６ａの非ブロック側に当接するように配設され、中央片８ａと、その両側に間隔をあけて配設された２枚の側部片８ｂと、中央片８ａを貫通し、２枚の側部片８ｂを外側である非近接側にばね付勢するばね８ｃとを有して構成されており、中央片８ａにはシャフト９の挿通孔８ｄが設けられてナット８ｅによりシャフト９に固定され、一方、側部片８ｂには、フランジ６の長孔６ｂを挿通させたガイドピン５ｅが挿通して固定される固定用孔８ｆを有して構成されている。
【００１６】
つまり、シャフト９の一方側には、板状の他方のフランジ６ｃが固着され、その他方のフランジ６ｃの他方側には、一対のブロック５が、シャフト９を挟んで互いに間隔をあけると共に、一方のフランジ６ａと他方のフランジ６ｃとに当接して配設され、その一対のブロック５が、スライド手段８により互いに離反する方向に付勢されており、スライド手段８に力を加えることによりシャフト９の方向である互いに近接する方向に移動自在とされて構成されているのである。
【００１７】
このように構成されたコイル巻線用治具においては、ボビンである略コ字状の形状を有する一対の分割ボビン７を、ブロック５の凹部５ｃとそれに連通するフランジ６の窪み６ｄとに合わせて挿入保持させ、分割ボビン７の端子７ａに銅線４の端末をからげて、銅線４をブロック５の案内溝５ｄに合わせるように制御しながらシャフト９を回転させて１層目の銅線４を整列巻きし、さらにその上側から俵積み状に銅線４をずらせながら多層に整列巻線してコイルを形成した後、スライド手段８により、一対のブロック５を近接する側にスライドさせて、コイル巻線用治具とコイル間に一度空間を形成させてコイルを外れ易くし、その後、一方のフランジ６ａ等を外してコイルを取り出す。
【００１８】
このように構成されているため、本実施例におけるコイル巻線用治具においては、ブロック５に設けた断面が半円状の案内溝５ｄに、１層目の銅線４の断面の略半分が収まって銅線４がきれいに整列巻きができ、その上側から順次銅線４が俵積み状に整列巻線できて、ボビン３である分割ボビン７には銅線４の案内溝を設ける必要はなく、銅線４の線径が異なってもコイル巻線用治具を変更するだけで、分割ボビン７を共通に使用した整列巻線ができると共に、巻線時に分割ボビン７を利用して銅線４の端末のからげができて作業ロスが防げ、また、自己融着線のような特殊銅線を用いることなくコイルのばらけが防げて、整列巻線が容易にできる。
【００１９】
なお、前記実施例においては、コイル巻線用治具を単一の巻線用治具を例示して説明を行ったが、本発明はこれに限らず、この巻線用治具を多連化して巻線作業の効率化を図ったコイル巻線用治具としたようなものであっても良い。
【００２０】
【発明の効果】
このように本発明は、請求項１記載の発明にあっては、外形が略四角柱状の２つのブロックを互いの一面側を対向させて間隔をあけて配設し、該ブロックを一対のフランジで挟持すると共に、前記ブロックにコイルが巻回されるボビンを保持させてなるコイル巻線用治具であって、前記２つのブロックのそれぞれの他面側の略中央部に、前記フランジに垂直方向に伸び、コイルが巻かれるボビンが分割されてなる略コ字状の形状を有する分割ボビンを保持する凹部を設け、該凹部の両側であって前記２つのブロックの角部に巻線をしようとする銅線の径と略同ピッチで複数の案内溝を形成すると共に、前記２つのブロックを、互いに近接自在とするスライド手段を設け、前記両フランジのブロックの凹部に当接する部分には凹部に連通する窪みを形成し、略コ字状の一対の分割ボビンをブロックの凹部とそれに連通するフランジの窪みとに合わせて挿入保持させた状態でコイルが巻回されるようになすと共に、一対のブロックを近接する側にスライドさせて一対の分割ボビンに巻回された同コイルが取り出されるようになしたため、ブロックに設けた案内溝により１層目の銅線の整列巻きができ、したがって、その上側から順次俵積み状に巻線される巻線も整列巻きでき、ボビンである分割ボビンには銅線の案内溝を設ける必要はなく、銅線の線径が異なってもコイル巻線用治具を変更するだけで、分割ボビンを共通に使用した整列巻線ができると共に、巻線時に分割ボビンを利用して銅線の端末のからげができて、その作業ロスが防げ、整列巻線が容易にできる。
【００２１】
また、請求項２記載の発明にあっては、請求項１記載のコイル巻線用治具において、前記案内溝を、断面が半円状の溝としたため、請求項１記載の発明の効果に加えて、コイルの１層目の銅線の略半分が案内溝に収納され、さらに容易に整列巻線ができる。
【図面の簡単な説明】
【図１】本発明のコイル巻線用治具の一実施例を示す斜視図である。
【図２】同上の一部分解斜視図である。
【図３】同上の要部の分解斜視図である。
【図４】同上の正面図である。
【図５】同上の側面図である。
【図６】同上のコイル巻線用治具で巻回されたコイルの正面図である。
【図７】同上のコイルの分解斜視図である。
【図８】従来のボビンを備えたコイルの断面図である。
【図９】同上のボビンの要部断面図である。
【符号の説明】
３            ボビン
４            銅線
５            ブロック
５ａ        一面側
５ｂ        他面側
５ｃ        凹部
５ｄ        案内溝
６            フランジ
７            分割ボビン
８            スライド手段
【図１】
0003572672.tif 000002
【図２】
0003572672.tif 000003
【図３】
0003572672.tif 000004
【図４】
0003572672.tif 000005
【図５】
0003572672.tif 000006
【図６】
0003572672.tif 000007
【図７】
0003572672.tif 000008
【図８】
0003572672.tif 000009
【図９】
0003572672.tif 000010